(57)【要約】【課題】遊技台の運搬をより容易化すること。【解決手段】取手部を備えた遊技台であって、前記取手部は、前記遊技台の側部に開口した開口部を一端に有する袋状の内部空間を有するものであり、前記内部空間は、その奥側に、左右方向の幅が狭い幅狭空間を有する。【選択図】  図８
2014061096.tif 000002
【特許請求の範囲】
【請求項１】
取手部を備えた遊技台であって、
前記取手部は、
前記遊技台の側部に開口した開口部を一端に有する袋状の内部空間を有するものであり、
前記内部空間は、その奥側に、左右方向の幅が狭い幅狭空間を有する、
ことを特徴とする遊技台。
【請求項２】
請求項１に記載の遊技台であって、
前記内部空間は、
前記開口部を有する第一内部空間と、
前記第一内部空間から上側に延びた第二内部空間と、
を有するものであり、
前記第二内部空間は、前記幅狭空間を有するものである、
ことを特徴とする遊技台。
【請求項３】
請求項１又は２に記載の遊技台であって、
前記幅狭空間は、その奥側に向かって徐々に幅狭である、
ことを特徴とする遊技台。
【請求項４】
請求項３に記載の遊技台であって、
前記幅狭空間は、その奥側中央部に向かって徐々に幅狭である、
ことを特徴とする遊技台。
【請求項５】
請求項２に記載の遊技台であって、
前記第一内部空間と前記第二内部空間との境界部分における前記第一内部空間の上面と、前記第二内部空間の最奥端面と、が平行である、
ことを特徴とする遊技台。
【請求項６】
請求項１乃至５のいずれか１項に記載の遊技台であって、
前記内部空間が、
幅方向の中心線に対して左右対称である、
ことを特徴とする遊技台。
【請求項７】
請求項１乃至６のいずれか１項に記載の遊技台であって、
前記遊技台の側部に形成された孔部と、
前記内部空間を形成する、前記孔部を塞ぐカバー部材と、を備え、
前記カバー部材は、互いに係合される二部品によって構成されるものである、
ことを特徴とする遊技台。
【請求項８】
請求項７に記載の遊技台であって、
前記二部品の係合部が、前記カバー部材のうち、少なくとも前記内部空間の最奥部形成部分に配設されている、
ことを特徴とする遊技台。
【請求項９】
請求項７又は８に記載の遊技台であって、
前記カバー部材は、その分割面を上下方向として、前記二部品に分割されるものである、
ことを特徴とする遊技台。
【請求項１０】
請求項７乃至９のいずれか１項に記載の遊技台であって、
前記二部品は、各々の周縁部が互いに重ねられて係合されるものである、
ことを特徴とする遊技台。
【発明の詳細な説明】
【技術分野】
【０００１】
本発明は、スロットマシン、パチンコ機に代表される遊技台に関する。
【背景技術】
【０００２】
スロットマシン、パチンコ機に代表される遊技台では、キャビネットなどと称される遊技台本体の側部に、遊技台運搬用の取手部が設けられる場合がある（例えば特許文献１）。遊技台を運搬する作業者はこの取手部に手を差し込んで遊技台を持ち上げ、運搬する。
【先行技術文献】
【特許文献】
【０００３】
【特許文献１】特許第４１９２０５８号公報
【発明の概要】
【発明が解決しようとする課題】
【０００４】
ここで、遊技台は遊技島に設置された後は移動することがほとんどないことから、前後左右の重量バランスを考慮した設計となっておらず、運搬時に傾きやすい。一方、作業者の手の大きさは様々である。このため、取手部の内部空間は、万人が運搬できるよう、広めに設計されている。このため、取手部に差し込んだ指に力をかけた場合に、取手部の内部空間内で不必要に指の位置が動いてしまい、力をかけにくくなって、遊技台の運搬が困難な場合がある。
【０００５】
本発明の目的は、遊技台の運搬をより容易化にすることにある。
【課題を解決するための手段】
【０００６】
本発明によれば、取手部を備えた遊技台であって、前記取手部は、前記遊技台の側部に開口した開口部を一端に有する袋状の内部空間を有するものであり、前記内部空間は、その奥側に、左右方向の幅が狭い幅狭空間を有する、ことを特徴とする遊技台が提供される。
【発明の効果】
【０００７】
本発明によれば、遊技台の運搬をより容易化することができる。
【図面の簡単な説明】
【０００８】
【図１】本発明の一実施形態に係るスロットマシンの外観斜視図。
【図２】前面扉を開いた状態のスロットマシンの外観斜視図。
【図３】スロットマシン１００の背面図、側面図、平面図及び底面図。
【図４】（ａ）及び（ｂ）は本体の運搬例を示す図。
【図５】本体の保管態様例を示す図。
【図６】（ａ）及び（ｂ）は本体を倒立状態から正立状態への持替動作の説明図。
【図７】（ａ）は側板の部分断面図、（ｂ）はカバー部材の側面図、（ｃ）は孔部に取り付けた状態でのカバー部材の側面図。
【図８】（ａ）及び（ｂ）はカバー部材の斜視図。
【図９】（ａ）及び（ｂ）はカバー部材の斜視図。
【図１０】（ａ）及び（ｂ）はカバー部材の分解斜視図。
【図１１】カバー部材の説明図。
【図１２】（ａ）はカバー部材の正面図、（ｂ）は図１２（ａ）のＡ−Ａ線切断面端面図、（ｃ）は図１２（ａ）のＢ−Ｂ線切断面端面図、（ｄ）は図１２（ａ）のＣ−Ｃ線切断面端面図。
【図１３】（ａ）は幅狭空間が無い場合の把持状態の説明図、（ｂ）及び（ｃ）は幅狭空間がある場合の把持状態の説明図。
【図１４】底壁部の拡大断面図。
【図１５】カバー部材の装着方法の説明図。
【図１６】（ａ）はフックの例を示す図、（ｂ）はフックの非係合例を示す図、（ｃ）はフックの係合例を示す図。
【図１７】（ａ）及び（ｂ）はフックの係合例を示す図、（ｃ）は係合が弛んだ場合のフックの移動規制の説明図。
【図１８】（ａ）及び（ｂ）は二部品の係合態様の説明図。
【図１９】（ａ）乃至（ｃ）は弾性係合片の別例の説明図。
【図２０】パチンコ機１への適用例を示す図。
【発明を実施するための形態】
【０００９】
＜第１実施形態＞
＜全体構成＞
図１は本発明の一実施形態に係るスロットマシン１００の外観斜視図、図２は前面扉１０２を開いた状態のスロットマシン１００の外観斜視図である。スロットマシン１００は、本体１０１と、本体１０１の正面にヒンジ部１０３を介して取り付けられ、本体１０１に対して開閉可能な前面扉１０２と、を備える。本体１０１は遊技装置を囲む箱体（キャビネット）であり、例えば、本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１０】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１１】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１２】
入賞ライン表示ランプ１２０は、有効となる入賞ライン１１４を示すランプである。有効となる入賞ライン１１４は、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。
【００１３】
なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして設定してもよく、ベット数に関係なく、一律に同一数の入賞ラインを有効な入賞ラインとして設定してもよい。
【００１４】
告知ランプ１２３は、例えば、入賞役の内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２９は演出用のランプである。
【００１５】
ベットボタン１３１及び１３２は、スロットマシン１００に電子的に貯留されているメダル（クレジットという）を所定の枚数分投入するためのボタンである。本実施形態においては、ベットボタン１３２が押下される毎に１枚ずつ最大３枚まで投入され、ベットボタン１３１が押下されると３枚投入されるようになっている。以下、ベットボタン１３１はＭＡＸベットボタンとも言う。なお、遊技メダル投入ランプ１２５は、投入されたメダル数に応じた数のランプを点灯させ、規定枚数のメダルの投入があった場合、遊技の開始操作が可能な状態であることを知らせる遊技開始ランプ１２１が点灯する。
【００１６】
メダル投入口１３３は、遊技を開始するに当たって遊技者がメダルを投入するための投入口である。すなわち、メダルの投入は、ベットボタン１３１及び１３２により電子的に投入することもできるし、メダル投入口１３３から実際のメダルを投入（投入操作）することもでき、投入とは両者を含む意味である。貯留枚数表示器１２８は、スロットマシン１００に電子的に貯留されているメダルの枚数を表示するための表示器である。遊技情報表示器１２７は、各種の内部情報（例えば、ボーナス遊技中のメダル払出枚数）を数値で表示するための表示器である。払出枚数表示器１２６は、何らかの入賞役に入賞した結果、遊技者に払出されるメダルの枚数を表示するための表示器である。貯留枚数表示器１２８、遊技情報表示器１２７、および、払出枚数表示器１２６は、７セグメント（ＳＥＧ）表示器とした。
【００１７】
スタートレバー１３５は、リール１１０乃至１１２の回転を開始させるためのレバー型のスイッチである。即ち、メダル投入口１３３に所望するメダル枚数を投入するか、ベットボタン１３１及び１３２を操作して、スタートレバー１３５を操作すると、リール１１０乃至１１２が回転を開始することとなる。スタートレバー１３５に対する操作を遊技の開始操作と言う。
【００１８】
ストップボタンユニット１３６には、ストップボタン１３６ａ乃至１３６ｃが設けられている。ストップボタン１３６ａ乃至１３６ｃは、スタートレバー１３５の操作によって回転を開始したリール１１０乃至１１２を個別に停止させるためのボタン型のスイッチであり、各リール１１０乃至１１２に対応づけられている。以下、ストップボタン１３６ａ乃至１３６ｃに対する操作を停止操作と言い、最初の停止操作を第１停止操作、次の停止操作を第２停止操作、最後の停止操作を第３停止操作という。なお、各ストップボタン１３６ａ乃至１３６ｃの内部に発光体を設けてもよく、ストップボタン１３６ａ乃至１３６ｃの操作が可能である場合、該発光体を点灯させて遊技者に知らせることもできる。
【００１９】
メダル返却ボタン１３３ａは、投入されたメダルが詰まった場合に押下してメダルを取り除くためのボタンである。精算ボタン１３８は、スロットマシン１００に電子的に貯留されたメダル、ベットされたメダルを精算し、メダル払出口１６５から排出するためのボタンである。メダル払出装置１６１はメダル払出口１６５からメダルを一枚ずつ排出する装置である。ドアキー孔１３９は、スロットマシン１００の前面扉１０２のロックを解除するためのキーを挿入する孔である。
【００２０】
ストップボタンユニット１３６の下部には、機種名の表示と各種証紙の貼付とを行うタイトルパネル１４０が設けられている。タイトルパネル１４０の下部には、メダル払出口１６５、メダルの受け皿１６０が設けられている。
【００２１】
音孔１７３はスロットマシン１００内部に設けられているスピーカの音を外部に出力するための孔である。前面扉１０２の各部に設けられたランプ１５１乃至１５８、１９０は遊技を盛り上げるための装飾用のランプである。前面扉１０２の上部には画像表示装置１８０が配設されている。画像表示装置１８０は例えば液晶表示装置であり演出が像を表示する。
【００２２】
係る構成のスロットマシン１００では、遊技者がメダルを投入し、スタートレバー１３５に対して開始操作を行うと、リール１１０乃至１１２が一斉に回転すると共に入賞役の内部抽選が行われる。続いて、ストップボタン１３６ａ乃至１３６ｃに対する遊技者の各停止操作が行われると、対応するリールの回転を停止させる。このとき、内部抽選結果に応じたリールの停止制御が行われる。そして、全リール１１０乃至１１２停止時にこれらのリールにより表示された図柄の組み合わせがいずれかの入賞役に対応する図柄の組み合わせであった場合にはその入賞役に入賞し、入賞した入賞役にメダルの払い出しが定められている場合はメダルが払い出される。このようなスロットマシン１００の遊技の制御は、ＣＰＵ等を搭載した制御基板により行われる。
【００２３】
＜本体１０１＞
本体１０１の構成について図１乃至図３を参照して説明する。図３はスロットマシン１００の背面図、側面図、平面図及び底面図である。本実施形態では本体１０１は、その天部を構成する天板１０１ａと、その左右の側部を構成する側板１０１ｂ、１０１ｂと、その底部を構成する底板１０１ｃと、その背部を構成する背板１０１ｄと、を備え、正面が開放した箱体をなしている。
【００２４】
天板１０１ａはその奥行き方向の幅が、底板１０１ｃの奥行き方向の幅よりも短くなっており、これに伴って側板１０１ｂ、１０１ｂの正面側の辺が傾斜している。つまり、本体１０１の正面開口部は上下方向に対して天部側が後傾して斜めに形成されている。このため、図２に示すように前面扉１０２の回動方向は水平方向からやや斜め上向きに開閉する。これは、前面扉１０２を開閉する際、スロットマシン１００の設置面に対して前面扉１０２の底部が擦れないという利点がある。
【００２５】
＜取手部の構成＞
側板１０１ｂには、スロットマシン１００や本体１０１の運搬用の取手部２００が設けられている。図４は取手部２００を利用した本体１０１の運搬態様を例示している。図４（ａ）は本体１０１を正立状態で運搬する態様を、図４（ｂ）は本体１０１を上下反転させた倒立状態で運搬する態様を、それぞれ示している。ここで、本体１０１を上下反転させて持ち上げる場合がある理由について説明する。
【００２６】
スロットマシン１００の製造過程において、本体１０１はそれ単体で製造されて一旦保管され、その後、組立ラインに運ばれることになる。上記の通り、本体１０１の正面開口部は傾斜しているため、保管の際には、図５に示すように、正立状態と倒立状態とを繰り返して配置し、隣接する本体１０１の正面開口部を合わせることで、占有スペースを削減することになる。
【００２７】
したがって、保管状態から本体１０１を運搬する際、図４（ａ）に示すように正立状態で本体１０１が持ち上げられて運搬される場合と、図４（ｂ）に示すように倒立状態で本体１０１が持ち上げられて運搬される場合とがある。また、図６（ａ）及び（ｂ）に示すように倒立状態で持ち上げられた後、正立状態に持ち替えられる場合もある。
【００２８】
取手部２００はカバー部材２１０によって構成される。図７（ａ）は側板１０１ｂの部分断面図、図７（ｂ）はカバー部材２１０の側面図、図７（ｃ）は孔部１０１ｂ’に取り付けた状態でのカバー部材２１０の側面図である。
【００２９】
図７（ａ）に示すように、側板１０１ｂには取手部２００の位置に孔部１０１ｂ'が形成されている。本実施形態の場合、孔部１０１ｂ'は側板１０１ｂをその厚み方向に貫通した孔である。孔部１０１ｂ'の大きさ（開口面積）は、強度の低下や不正行為防止の点でなるべく小さいことが好ましく、例えば、横８０〜９０mm、縦３０〜４０mm程度に設けられる。このように大きさを設定することで、手を挿入することができても、手に何らかの器具（工具）を持った状態での挿入を困難にし、不正行為防止に寄与する。
【００３０】
カバー部材２１０は孔部１０１ｂ'を塞ぐように孔部１０１ｂ'に取り付けられ、主に作業者の指先保護を目的としている。孔部１０１ｂ'はそれ自体取手部として利用できなくはない。しかし、一般に本体１０１は、ＭＤＦ等の合板や板金により構成されることが一般的であり、合板は木くずの圧縮により形成されるため、孔部１０１ｂ'の周縁は脆く、指をかけると木片が刺さる恐れがあり、板金の場合においては孔部１０１ｂ'の切り欠きにより指を怪我する恐れがある。また、側板１０１ｂの厚さと作業者の指に荷重が加えられる面積とが比例するため、作業者の指先に加わる圧力を減少させるためには側板１０１ｂの厚さを厚くしなければならない。カバー部材２１０はこういった問題を解決することができる。
【００３１】
カバー部材２１０は基本的にスロットマシン１００や本体１０１の運搬時にのみ必要となるので、孔部１０１ｂ'に対して固定してもよいし、着脱自在としてもよい。本実施形態では弾性係合片２１５の孔部１０１ｂ’に対する係合構造によって、カバー部材２１０を着脱自在としている。以下、カバー部材２１０の構成について説明する。
【００３２】
図８（ａ）及び（ｂ）、図９（ａ）及び（ｂ）は視点を変えたカバー部材２１０の斜視図である。図１０（ａ）及び（ｂ）はカバー部材２１０の分解斜視図である。本実施形態の場合、カバー部材２１０は、分割面を上下方向としてこれを半割とした二部品２１０Ａ、２１０Ｂを互いに係合して構成されている。一部品の構成でもよいが二部品とすることで、一部に破損があっても、その部品のみ交換すれば足りる。
【００３３】
カバー部材２１０は、装着状態において側板１０１ｂに開口する開口部ＯＰを一端に有する袋状の内部空間ＳＰを有する中空体である。開口部ＯＰは作業者の手の差込口を形成している。正立状態で本体１０１を持ち上げる際、作業者は内部空間ＳＰの奥まで指を差し込んで本体１０１を把持することになる。
【００３４】
なお、本書においては、開口部０Ｐをカバー部材２１０の正面とし、側板１０１ｂでの装着状態を基準として上下方向、横方向（前後方向、左右方向）を規定することとする。以下、図１２も合わせて参照してカバー部材２１０の構成を説明する。図１２（ａ）はカバー部材２１０の正面図、（ｂ）は図１２（ａ）のＡ−Ａ線切断面端面図、（ｃ）は図１２（ａ）のＢ−Ｂ線切断面端面図、（ｄ）は図１２（ａ）のＣ−Ｃ線切断面端面図である。
【００３５】
本実施形態の場合、開口部ＯＰは隅丸の方形をなしている。開口部ＯＰの大きさも（開口面積）、孔部１０１ｂ'の場合と同様、不正行為防止の点でなるべく小さいことが好ましく、例えば、横８０〜９０mm（図１２（ａ）のＬ２）、縦３０〜４０mm（図１２（ａ）のＬ４）程度が好ましい。
【００３６】
開口部ＯＰは、その周縁部を形成するフランジ部２１１により画定されている。フランジ部２１１は、開口部ＯＰから外方へ突出し、孔部１０１ｂ’に対して挿入方向のストッパとなっている。フランジ部２１１は、開口部ＯＰの形状に合わせて隅丸の方形をなしており、上縁部２１１ａ、一対の側縁部２１１ｂ、２１１ｂ及び下縁部２１１ｃを有している。
【００３７】
本実施形態の場合、下縁部２１１ｃに延設部２１２が一体的に形成されている。延設部２１２は上側（開口部ＯＰ側）に延設されている。延設部２１２は、スロットマシン１００或いは本体１０１を倒立状態で運搬する場合に、指先や運搬装置のフック等をひっかけるために設けられている。本実施形態の場合、延設部２１２は、フランジ部２１１のうち、下縁部２１１ｃにのみに設けられている。これにより、開口部ＯＰが極端に狭くならないようにしている。また、延設部２１２は下縁部２１１ｃの一部に設けてもよいが、本実施形態では全域に設けている。これにより、ひっかける範囲を広くとれるともに、ひっかかった指やフック等が外れ難いようにしている。
【００３８】
図１２（ａ）において、側縁部２１１ｂの幅Ｌ１、上縁部２１１ａの幅Ｌ５、及び、下縁部２１１ｃと延設部２１２の合計の幅Ｌ３の関係は、Ｌ１≒Ｌ５＜Ｌ３である。
【００３９】
内部空間ＳＰは、前後方向から途中で上方向へ曲折したＬ字型をなしている。具体的には、内部空間ＳＰは、開口部ＯＰを有して前後方向へ延びる内部空間ＳＰ１と、内部空間ＳＰ１の開口部ＯＰと反対側の端部から上側に延びる内部空間ＳＰ２と、を含む。
【００４０】
内部空間ＳＰがＬ字型をなしていることで、正立状態で本体１０１を運搬する際、作業者の手のうち、内部空間ＳＰ１に指元が、内部空間ＳＰ２に指先が、それぞれ位置し易くなり、指をフック型に曲げて取手部２００にひっかけることができ、運搬しやすくなる。逆に、倒立状態では内部空間ＳＰに手が差し込み難くなる。そこで、延設部２１２に指先をひっかけることで作業者は倒立状態でも本体１０１を運搬し易くなる。
【００４１】
内部空間ＳＰ１は、フランジ部２１１と連続する上壁部２１３ａ、一対の側壁部２１３ｂ、及び、底壁部２１３ｃにより画定されている。内部空間ＳＰ２は、上壁部２１４ａ、後壁部２１４ｂ、前壁部２１４ｃ及び一対の側壁部２１４ｄにより画定されている。
【００４２】
上壁部２１３ａの内面ＳＦ１は内部空間ＳＰ１と内部空間ＳＰ２との境界部分において、内部空間ＳＰ１の上面を形成している。一方、上壁部２１４ａは内部空間ＳＰの最奥部を形成する最奥部形成部分であり、上壁部２１４ａの内面ＳＦ２は内部空間ＳＰの最奥端面を形成している。本実施形態では図１１に示すように、内面ＳＦ１と内面ＳＦ２とが互いに平行であり、内部空間ＳＰにおいて、フック型に曲げた作業者の指の座りがよくなる。
【００４３】
側壁部２１４ｄは、上下に真っすぐ延びる下部２１４ｄｂと、下部２１４ｄｂから左右方向中央側へ傾斜して真っすぐ延びる上部２１４ｄａと、から構成されている。このため、図１２（ａ）に示すように、上壁部２１４ａの左右方向の幅Ｌ６と、一対の側壁部２１３ｂ間の左右方向幅或いは下部２１４ｄｂ間の左右方向の幅Ｌ７との関係は、幅Ｌ６＜幅Ｌ７となっている。このため、内部空間ＳＰ２は、その奥側で左右方向の幅が狭い、台形柱形状の幅狭空間ＮＳＰとなっている。
【００４４】
幅狭空間ＮＳＰを設けたことで、作業者が内部空間ＳＰに差し込んだ指に力をかけた場合に不必要に指の位置が動いてしまうことが抑制される。図１３はその説明図である。まず、比較例として図１３（ａ）は幅狭空間ＮＳＰが無い場合を示している。同図に示すように、指先の幅に対して内部空間ＳＰの奥の幅が大きすぎるため、指先が左右に動いて不安定となる。開口部ＯＰを含めて内部空間ＳＰ全体を狭くすると、手の抜き差しが不便になる。
【００４５】
一方、図１３（ｂ）に示すように本実施形態では、幅狭空間ＮＳＰが存在していることで、指先の位置が少し拘束され、指先が左右に動くことが抑制される。これにより、作業者は安定して力をかけ易く、スロットマシン１００或いは本体１０１の運搬がより容易化する。また、幅狭空間ＮＳＰは内部空間ＳＰの奥側の一部であるので、手の抜き差しを不便にすることもない。
【００４６】
本実施形態の場合、幅狭空間ＮＳＰは、その奥側に向かって徐々に幅狭となっている。このため、内部空間ＳＰに手を差し込めば、上部２１４ｄａの内面の案内によって作業者の指先が適切な位置に自然と導かれ、幅狭空間ＮＳＰにより作業者に違和感を与える事態を回避できる。また、手が大きい者と小さい者とでは指先が届く位置が異なるだけであって、いずれも幅狭空間ＮＳＰに手を差し入れることができ、より万人に対応できる。特に、本実施形態の場合、幅狭空間ＮＳＰは、その奥側中央部（上壁部２１４ａの左右方向中央部）に向かって徐々に幅狭となっているため、指先の起伏（中指が最も長く、人差し指及び薬指、小指）に合わせて適切な位置に自然と導くことができる。
【００４７】
加えて、本実施形態では、内部空間ＳＰが左右方向の幅方向の中心線（図１２（ａ）のＡ−Ａ線）に対して左右対称であるため、作業者がスロットマシン１００や本体１０１をその正面側から把持した場合の内部空間ＳＰに対する指先の位置（図１３（ｂ））と、背面側から把持した場合の内部空間ＳＰに対する指先の位置（図１３（ｃ））とが同じになり、作業者に違和感を与えることを回避できる。
【００４８】
次に、底壁部２１３ｃの内面は内部空間ＳＰ（特に内部空間ＳＰ１）の下面ＳＦＬを構成している。
【００４９】
下面ＳＦＬは、下縁部２１１ｃから奥側へ延びる前面部ＳＦ３、前面部ＳＦ３から奥側に延びる中面部ＳＦ４、ＳＦ４’、中面部ＳＦ４、ＳＦ４’から奥側に延びる後面部ＳＦ５を含む。中面部ＳＦ４、ＳＦ４’は、前面部ＳＦ３及び後面部ＳＦ５よりも奥側上方へ傾斜している。前面部ＳＦ３は水平であり、後面部ＳＦ５は奥側上方へ傾斜しているものの、傾斜の度合いは中面部ＳＦ４、ＳＦ４’よりも小さい。
【００５０】
中面部ＳＦ４’は中面部ＳＦ４の左右方向両側に位置している。中面部ＳＦ４’は底壁部２１３ｃに設けた凹部２１３ｃ’の内面である。凹部２１３ｃ’は弾性係合片２１５との干渉を避けるために設けられている。弾性係合片２１５は、その一端２１５ａが底壁部２１３ｃに一体に接続され、その他端２１５ｂが底壁部２１３ｃの開放に位置する開放端となっている。他端２１５ｂは、スロットマシン１００の側板１０１ｂに内側から係合する部分であり、本実施形態では図７（ｃ）に示すように、孔部１０１ｂ’の縁に係合する。
【００５１】
カバー部材２１０を孔部１０１ｂ’を装着する際には、この弾性係合片２１５を弾性変形させる必要があり、凹部２１３ｃ’はその可動範囲を確保する。図１５は装着途中の状態を示している。同図に示すように、弾性係合片２１５は孔部１０１ｂ’の内面を案内として、一端２１５ａを回動中心として上側に弾性的に回動する。凹部２１３ｃ’を設けたことで、弾性係合片２１５が十分に回動するスペースが確保される。
【００５２】
なお、弾性係合片２１５は部品２１０Ａ、２１０Ｂにそれぞれ設けられている。したがって、弾性係合片２１５が破損した場合には、破損した側の部品を交換すればよいことになる。
【００５３】
凹部２１３ｃ’を底壁部２１３ｃの左右方向に全域に渡って設けると、内部空間ＳＰ（特に内部空間ＳＰ１）を圧迫する。これは手の抜き差しを不便にする場合がある。そこで、本実施形態では、凹部２１３ｃ’を底壁部２１３ｃの左右方向の両端部に配置すると共に、中央領域の内面には中面部ＳＦ４’よりも傾斜が浅い中面部ＳＦ４を形成した。両者の角度関係は、特に図１４から理解される。これにより、内部空間ＳＰが圧迫されることを軽減し、手の抜き差しを容易化している。
【００５４】
また、図１２（ｃ）及び（ｄ）に示すように、延設部２１２と中面部ＳＦ４との間における前面部ＳＦ３の前後方向の幅Ｌ８と、延設部２１２と中面部ＳＦ４’との間における前面部ＳＦ３の前後方向の幅Ｌ９と、の関係は幅Ｌ８＞幅Ｌ９となっている。幅Ｌ８を広くとることで、スロットマシン１００或いは本体１０１を倒立状態で運搬する際、作業者の指が延設部２１２に引っ掛かる際に、指先が差し込まれるスペースを確保することができる。
【００５５】
延設部２１２には、作業者の指だけでなく、運搬装置のフック等を係止する部位として利用できる。つまり、延設部２１２は多様な運搬態様の対応に寄与する。
【００５６】
図１６（ａ）はフック３００を例示している。フック３００は、その端部がコ字型に曲折されて、先端部３０１から隙間Ｌ１１が形成されている。
【００５７】
ここで、図１６（ｂ）を参照して、本実施形態の場合、上壁部２１３ａの内面である内部空間ＳＰ１の上面ＳＦ１は水平に形成されており、奥行き方向（前後方向）の幅Ｌ１２は、Ｌ１２＞Ｌ１１とされている。このため、図１６（ｂ）に示すように、フック３００は上壁部２１３ａには係止できない構成としている。一方、延設部２１２の奥行き方向（前後方向）の幅（厚み）Ｌ１３は、Ｌ１３＜Ｌ１１＜Ｌ１２の関係にある。なお、例えば、Ｌ１１＝１０ｍｍ、Ｌ１２＝２５ｍｍ、Ｌ１３＝４ｍｍである。上面ＳＦ１は正立状態での把持時に指元、掌が当たる部分であるため、比較的広めであることが望ましい。
【００５８】
このため、図１６（ｃ）に示すように、フック３００を延設部２１２に係止することができる。このようにフック３００を用いた場合にも、図１２（ｃ）に示した幅Ｌ８を幅広とすることはフック３００の先端部３０１が差し込まれるスペースの確保にも役立つ。なお、フック３００を用いた運搬態様としては、本体１０１を倒立状態で吊り下げる場合の他、本体１０１を寝かした状態で滑面やローラ上を滑らせながら引っ張る等、各種の運搬態様が選択できる。
【００５９】
図１７（ａ）及び（ｂ）は別のフック３１０を例示している。フック３１０は、その端部が円弧型に曲折されている。ここで、開口部ＯＰの上下方向の幅Ｌ４は、想定外の大型フック等が不意に用いられることを規制する役割を有しており、フック３１０はその幅Ｌ１０が、Ｌ１０＞Ｌ４の関係にあり、フック３１０の先端部のみが内部空間ＳＰに進入可能となっている。
【００６０】
本実施形態では、上面ＳＦ１は水平である一方、中面部ＳＦ４が奥側上方へ傾斜している。このため、内部空間ＳＰ１は、その奥側（前後方向後ろ側）に向かって上下方向の幅が徐々に狭くなっている（Ｌ４→Ｌ１５）。内部空間ＳＰ１の最大斜め幅Ｌ１６と入口幅Ｌ１４との関係は、Ｌ４＞Ｌ１６であることが好ましい。これは、フック３１０を引く力が一時的に弱まることにより、フック３１０が内部空間ＳＰ奥側へずれて、その先端と延設部２１２との係合が解除されてしまう事態（外れる事態）を回避することに役立つ。
【００６１】
また、中面部ＳＦ４が奥側上方へ傾斜していることも、フック３１０の先端と延設部２１２との係合が解除されてしまう自体を回避することに役立つ。つまり、フック３１０を引く力が一時的に弱まることにより、フック３１０が内部空間ＳＰ奥側へずれようとするが、図１７（ｃ）に示すようにフック３１０の先端部は、破線と実線で示すように中面部ＳＦ４を乗り上げなければならず、傾斜が抵抗となる。これにより、フック３１０が外れる事態を回避することに役立つ。
【００６２】
次に、部品２１０Ａと部品２１０Ｂとの係合構造について図８〜７及び図１８を参照して説明する。部品２１０Ａには、４つの係合部ＥＧ１〜ＥＧ４（総称するときは係合部ＥＧという。）が形成されており、部品２１０Ｂには、係合部ＥＧ１〜ＥＧ４に対応する係合部ｅｇ１〜ｅｇ４（総称するときは係合部ｅｇという。）が形成されている。係合部ＥＧは楔型をなしており、係合部ｅｇは係合部ＥＧが挿嵌される門型をなしている。
【００６３】
本実施形態の場合、上記の通り分割面を上下方向としており、係合部ＥＧと係合部ｅｇの係合方向は左右方向となっている。そして、側板１０１ｂの孔部１０１ｂ’に対してカバー部材２１０を装着する方向は、係合方向と直交する方向である。部品２１０Ａと部品２１０Ｂとの係合は装着前に事前に行われることを基本とするが、仮に、不十分であったとしても、孔部１０１ｂ’に差し込む時に、部品２１０Ａと部品２１０Ｂには、孔部１０１ｂ’の内壁から左右方向に互いを締め付ける力が作用することになる。この結果、係合部ＥＧと係合部ｅｇとが装着完了時には確実に係合されることになる。
【００６４】
係合部ＥＧ、ｅｇは、内部空間ＳＰ２の壁部にその多くが配置されており、特に、上壁部２１４ａに配設されている（係合部ＥＧ１、ｅｇ１）。正立状態で本体１０１を運搬する場合、内部空間ＳＰ２の各壁部には指先の力が加わり易く、特に、上壁部２１４ａに加わり易いと考えられることから、内部空間ＳＰ２の壁部に係合部ＥＧ、ｅｇを優先的に配置することで、部品２１０Ａと部品２１０Ｂとが不意に分離する事態を回避できる。
【００６５】
また、本実施形態では、互いの接合部となる、部品２１０Ａの周縁部ＥＤＡと、部品２１０Ｂの周縁部ＥＤＢとが互いに重ねられて部品間が係合されるように構成している。図１８はその説明図である。図１８（ａ）は部品２１０Ａと部品２１０Ｂとを係合前後で平面視した図であり、図１８（ｂ）は係合前後での周縁部ＥＤＡと周縁部ＥＤＢの分離−重なり態様を示している。本実施形態の場合、周縁部ＥＤＡが内部空間ＳＰ側、周縁部ＥＤＢが外側で重ねられる。
【００６６】
このように、部品２１０Ａの周縁部ＥＤＡと、部品２１０Ｂの周縁部ＥＤＢとを単に突き合わせて係合するのではなく重ねることで、外部からの不正行為を抑制する効果がある。例えば、針状の異物をカバー部材２１０を介してスロットマシン１００内に侵入させようとした場合、部品２１０Ａと部品２１０Ｂとの分割面が狙われるおそれがあるが、周縁部ＥＤＡと周縁部ＥＤＢとを重ねることで、異物を隙間に突き刺そうとしてもこれを困難にすることができる。
【００６７】
＜第２実施形態＞
側板１０１ｂの厚みには、個体差がある場合がある。或いは、異なる厚みの側板１０１ｂに対して共通のカバー部材２１０を利用できれば便利である。そこで、弾性係合片２１５の他端２１５ｂに係合部を複数設けてもよい。図１９（ａ）はその一例を示す。同図の例では、他端２１５ｂ’に階段状の係合部ＳＴＰを設けている。そして、側板１０１ｂの厚みに応じて、係合部ＳＴＰのうちのいずれかの段部が係合する。図１９（ｂ）及び（ｃ）はその一例を示しており、図１９（ｂ）の例は側板１０１ｂが相対的に厚く、図１９（ｃ）の例は相対的に薄い。このように側板１０１ｂの厚さによって、孔部１０１ｂ’の縁と係合する段部が異なり、異なる厚さに対応できる。
【００６８】
＜第３実施形態＞
上記各実施形態ではスロットマシン１００への適用例を説明したが、他の遊技台への適用も可能である。図２０はパチンコ機１への適用例を示す図である。パチンコ機１は、外部的構造として、外枠２と、内枠３と、前面枠扉４と、球貯留皿付扉５と、発射装置６と、遊技盤７と、をその前面に備える。
【００６９】
外枠２は、遊技機設置営業店に設けられた設置場所（島設備等）へと固定させるための縦長方形状から成る木製の枠部材であり、内枠３と共にパチンコ機１の本体を形成する。カバー部材２１０は外枠２の側部に設けられた不図示の孔部に取り付けられている。内枠３は、外枠２の内部に備えられ、ヒンジ部８を介して外枠２に回動自在に装着された縦長方形状の遊技機基軸体となる部材である。また、内枠３は、枠状に形成されている。
【００７０】
前面枠扉４は、ロック機能付きで且つ開閉自在となるようにパチンコ機１の前面側となる内枠３の前面に対しヒンジ部８を介して装着され、枠状に構成されることでその内側を開口部４ａとした扉体である。なお、この前面枠扉４には、開口部４ａにガラス製又は樹脂製の透明板部材４ｂが設けられ、背後の遊技盤７を遊技者が視認可能となっている。前面枠扉４の後面と遊技盤７の前面とで遊技領域を区画形成する。
【００７１】
球貯留皿付扉５は、パチンコ機１の前面において内枠３の下側に対して、施錠機能付きで且つ開閉自在となるように装着された扉体であり、球貯留皿付扉５の基部が、その向かって左側端部において内枠３に回動自在に支持されている。図１６は球貯留皿付扉５を開放状態とした場合を示している。
【００７２】
球貯留皿付扉５には、複数の遊技球（以下、単に「球」と称する場合がある）が貯留可能で且つ発射装置６へと遊技球を案内させる通路が設けられている上皿５ａや、上皿５ａに貯留しきれない遊技球を貯留する下皿５ｃ、遊技者の操作によって発射装置６へと案内された遊技球を遊技盤７の遊技領域へと打ち出す球発射ハンドル５ｂ等が設けられている。
【００７３】
球貯留皿付扉５には、また、操作ユニット１０が設けられている。操作ユニット１０は、遊技者の操作を受け付けて演出態様に変化を与えるため等に用いるチャンスボタン、遊技店に設置されたカードユニット（ＣＲユニット）に対して球貸し指示を行う球貸操作ボタン、カードユニットに対して遊技者の残高の返却指示を行う返却操作ボタン等を備えて構成される。
【００７４】
発射装置６は、球発射ハンドル５ｂが遊技者に操作されることによって回動する発射杆６ａと、遊技球を発射杆の先端で打突する発射槌６ｂと、を備え、内枠３の下方に設けられている。発射装置６から発射された遊技球は、発射レールに沿って遊技領域へ発射される。遊技盤７の遊技領域には、入賞口や図柄表示装置等が配置され、入賞口に球が入球することで遊技者に何らかの特典が付与されることになる。
【００７５】
＜実施形態のまとめ＞
Ａ１．上記実施形態の遊技台は、取手部(例えば、200)を備えた遊技台(例えば、100,1)であって、前記取手部は、前記遊技台の側部に開口した開口部(例えば、OP)を一端に有する袋状の内部空間(例えば、SP)を有するものであり、前記内部空間は、その奥側に、左右方向の幅が狭い幅狭空間(例えば、NSP)を有する。
【００７６】
この構成によれば、遊技台の運搬をより容易化にすることができる場合がある。
【００７７】
Ａ２．上記Ａ１の遊技台であって、前記内部空間は、前記開口部を有する第一内部空間(例えば、SP1)と、前記第一内部空間から上側に延びた第二内部空間(例えば、SP2)と、
を有するものであり、前記第二内部空間は、前記幅狭空間を有するものである。
【００７８】
この構成によれば、内部空間がＬ字型となり、指をフック型に曲げてひっかけることができ、運搬しやすくなる場合がある。
【００７９】
Ａ３．上記Ａ１又はＡ２の遊技台であって、前記幅狭空間は、その奥側に向かって徐々に幅狭である。
【００８０】
この構成によれば、作業者の指先が適切な位置に自然と導かれ、幅狭空間により作業者に違和感を与える事態を回避できる場合がある。
【００８１】
Ａ４．上記Ａ３の遊技台であって、
前記幅狭空間は、その奥側中央部(例えば、CR)に向かって徐々に幅狭である。
【００８２】
この構成によれば、作業者の指先が適切な位置に自然と導かれ、幅狭空間により作業者に違和感を与える事態を回避できる場合がある。
【００８３】
Ａ５．上記Ａ２の遊技台であって、前記第一内部空間と前記第二内部空間との境界部分における前記第一内部空間の上面(例えば、SF1)と、前記第二内部空間の最奥端面(例えば、SF2)と、が平行である。
【００８４】
この構成によれば、内部空間ＳＰにおいて、フック型に曲げた作業者の指の座りがよくなる場合がある。
【００８５】
Ａ６．上記Ａ１乃至Ａ５のいずれかの遊技台であって、前記内部空間が、幅方向の中心線(例えば、A-A線)に対して左右対称である。
【００８６】
この構成によれば、遊技台をその正面側から把持した場合と背面側から把持した場合とで内部空間に対する指先の位置が同じになり、作業者に違和感を与えることを回避できる場合がある。
【００８７】
Ａ７．上記Ａ１乃至Ａ６のいずれかの遊技台であって、前記遊技台の側部に形成された孔部(例えば、101b')と、前記内部空間を形成する、前記孔部を塞ぐカバー部材(例えば、210)と、を備え、前記カバー部材は、互いに係合される二部品(例えば、210A,210B)によって構成されるものである。
【００８８】
この構成によれば、カバー部材の一部に破損があっても、その部品のみ交換すれば足りる場合がある。
【００８９】
Ａ８．上記Ａ７の遊技台であって、前記二部品の係合部(例えば、EG1〜4,eg1〜4)が、前記カバー部材のうち、少なくとも前記内部空間の最奥部形成部分(例えば、214a)に配設されている(例えば、EG1,eg1)。
【００９０】
この構成によれば、二部品が不意に分離する事態を回避できる場合がある。
【００９１】
Ａ９．上記Ａ７又はＡ８の遊技台であって、前記カバー部材は、その分割面を上下方向として、前記二部品に分割されるものである。
【００９２】
この構成によれば、二部品を孔部に差し込むことで、両者が確実に係合されることになる場合がある。
【００９３】
Ａ１０．上記Ａ７乃至Ａ９のいずれかの遊技台であって、前記二部品は、各々の周縁部(例えば、EDA,EDB)が互いに重ねられて係合されるものである。
【００９４】
この構成によれば、不正行為を抑制することができる場合がある。
【００９５】
Ｂ１．上記実施形態の遊技台は、取手部(例えば、200)を備えた遊技台(例えば、100,1)であって、前記取手部は、前記遊技台の側部に開口した開口部を一端に有する袋状の内部空間(例えば、SP)を有するものであり、前記開口部の下縁(例えば、211c)が、上側に延設された延設部(例えば、212)を有するものである。
【００９６】
この構成によれば、遊技台の多様な運搬態様に対応することができる場合がある。
【００９７】
Ｂ２．上記Ｂ１の遊技台であって、前記開口部の前記下縁は、その全域に渡って前記延設部を有するものである。
【００９８】
この構成によれば、ひっかける範囲を広くとれるともに、ひっかかった指やフック等が外れ難いようにすることができる場合がある。
【００９９】
Ｂ３．上記Ｂ１の遊技台であって、前記内部空間の下面(例えば、SFL)が、前記下縁から奥側へ延びる前面部(例えば、SF3)と、前記前面部から奥側に延びる中面部(例えば、SF4,SF4')と、前記中面部から奥側に延びる後面部(例えば、SF5)と、を含むものであり、前記中面部は、前記前面部及び後面部よりも、奥側上方へ傾斜しているものである。
【０１００】
この構成によれば、延設部にひっかかったフック等の引っ張りがゆるんだときに係合が解除されることを回避できる場合がある。
【０１０１】
Ｂ４．上記Ｂ１乃至Ｂ３のいずれかの遊技台であって、前記遊技台の側部に形成された孔部(例えば、101b')と、前記内部空間を形成する、前記孔部を塞ぐカバー部材(例えば、210)と、を備え、前記カバー部材は、前記内部空間の下面を形成する壁部(例えば、213c)と、前記遊技台の側部に内側から係合する弾性係合片(例えば、215)と、を有するものであり、前記弾性係合片は、その一端(例えば、215a)が前記カバー部材に一体に接続され、その他端(例えば、215b)が前記遊技台の側部に内側から係合する開放端であり、前記開放端は、前記壁部の下方に位置しており、前記壁部は、前記開放端との干渉を避ける凹部(例えば、213c')を有するものである。
【０１０２】
この構成によれば、弾性係合片の可動範囲を確保することができる場合がある。
【０１０３】
Ｂ５．上記Ｂ１乃至Ｂ４のいずれかの遊技台であって、前記内部空間は、前記開口部を有する第一内部空間(例えば、SP1)と、前記第一内部空間から上側に延びた第二内部空間(例えば、SP2)と、を有するものであり、前記延設部の奥行き方向の幅(例えば、L13)が、前記第一内部空間の上面(例えば、SF1)の奥行き方向の幅(例えば、L12)よりも狭い。
【０１０４】
この構成によれば、内部空間がＬ字型となり、指をフック型に曲げてひっかけることができ、運搬しやすくなる場合がある。また、フック等が想定外の部位にひっかかることを回避できる場合がある。
【０１０５】
Ｂ６．上記Ｂ５の遊技台であって、
前記第一内部空間は、その奥側に向かって上下方向の幅(例えば、L4-L15)が徐々に狭いものである。
【０１０６】
この構成によれば、延設部にひっかけているフック等が内部空間奥側へずれて、係合が解除されてしまう事態（外れる事態）を回避することに役立つ場合がある。
【０１０７】
Ｂ７．上記Ｂ１乃至Ｂ５のいずれかの遊技台であって、前記内部空間が、幅方向の中心線(例えば、A-A線)に対して左右対称である。
【０１０８】
この構成によれば、遊技台をその正面側から把持した場合と背面側から把持した場合とで内部空間に対する指先の位置が同じになり、作業者に違和感を与えることを回避できる場合がある。
【０１０９】
Ｂ８．上記Ｂ４の遊技台であって、
前記カバー部材は、互いに係合される二部品(例えば、210A,210B)によって構成されるものである。
【０１１０】
この構成によれば、カバー部材の一部に破損があっても、その部品のみ交換すれば足りる場合がある。
【０１１１】
Ｂ９．上記Ｂ８の遊技台であって、
前記二部品の係合部が、前記カバー部材のうち、少なくとも前記内部空間の最奥部形成部分に配設されている(例えば、EG1,eg1)。
【０１１２】
この構成によれば、二部品が不意に分離する事態を回避できる場合がある。
【０１１３】
Ｂ１０．上記Ｂ８又はＢ９の遊技台であって、
前記カバー部材は、その分割面を上下方向として、前記二部品に分割されるものである。
【０１１４】
この構成によれば、二部品を孔部に差し込むことで、両者が確実に係合されることになる場合がある。
【０１１５】
Ｂ１１．上記Ｂ８乃至Ｂ１０のいずれかの遊技台であって、
前記二部品は、各々の周縁部(例えば、EDA,EDB)が互いに重ねられて係合されるものである。
【０１１６】
この構成によれば、不正行為を抑制することができる場合がある。
【図１】
2014061096.tif 000003
【図２】
2014061096.tif 000004
【図３】
2014061096.tif 000005
【図４】
2014061096.tif 000006
【図５】
2014061096.tif 000007
【図６】
2014061096.tif 000008
【図７】
2014061096.tif 000009
【図８】
2014061096.tif 000010
【図９】
2014061096.tif 000011
【図１０】
2014061096.tif 000012
【図１１】
2014061096.tif 000013
【図１２】
2014061096.tif 000014
【図１３】
2014061096.tif 000015
【図１４】
2014061096.tif 000016
【図１５】
2014061096.tif 000017
【図１６】
2014061096.tif 000018
【図１７】
2014061096.tif 000019
【図１８】
2014061096.tif 000020
【図１９】
2014061096.tif 000021
【図２０】
2014061096.tif 000022